(57)【特許請求の範囲】
【請求項１】
筐体内に冷凍サイクルの構成要素が収容された熱源ユニットにおいて、
通気孔を有する前記筐体の着脱自在な一側面に対向して設けられ、電気部品が収容された電気部品箱と、
この電気部品箱の前面をなし、前記一側面に対向して設けられたカバーと、
このカバーに設けられ、外周をヘミング加工により外側に折り返して形成された窓側係合部が全周囲に設けられた矩形の点検窓と、
前記窓側係合部に摺動自在に係合し、同様のヘミング加工により形成された蓋側係合部が上下あるいは左右の方向に延びて周辺に設けられた矩形の点検蓋と
を有することを特徴とする熱源ユニット。
【請求項２】
前記点検蓋の挿入方向の一側端部付近には、前記点検蓋の開放時、この点検蓋の他側に位置する前記窓側係合部に当接する係止部が設けられたことを特徴とする請求項１に記載の熱源ユニット。
【請求項３】
前記点検蓋の他側には、前記点検蓋の閉止時、前記点検窓の他側に位置する前記蓋側係合部に当接する同様のヘミング加工により形成された点検蓋側係止部が設けられることを特徴とする請求項１または２に記載の熱源ユニット。
【発明の詳細な説明】
【技術分野】
【０００１】
本発明は熱源ユニットに係り、特に電気部品箱の構造を改良した熱源ユニットに関する。
【背景技術】
【０００２】
従来、熱源ユニットの一種である空気調和機の室外ユニットにおいて、メンテナンスサービスするための筐体に点検口を設けている。  
そして、筐体と点検蓋とのシールのために重なり合う４辺の内、筐体側の少なくとも３辺に段曲げ部を形成し、点検蓋をその段曲げ部の中に入れ、段曲げ部と点検蓋をシールしてねじで取付けると共に、段曲げ部のない１辺と点検蓋とでシールし、ねじで取付ける（例えば、特許文献１参照）。
【先行技術文献】
【特許文献】
【０００３】
【特許文献１】実開平５−８３２０号公報
【発明の概要】
【発明が解決しようとする課題】
【０００４】
しかしながら、特許文献１に記載の空気調和機は、点検蓋を取り付けることで生じる雨水の筐体への浸入を防止するために、段曲げ部および点検蓋にシール材を取り付け、点検蓋をねじで取付けていた。  
このような構造では、シール材を取り付け、ねじ止めする必要があり構造が複雑になり、段曲げ部の先端が鋭利であるため危険であり、さらに、メンテナンス時点検蓋が筐体から脱落して、紛失するおそれがあった。
【０００５】
本発明は上述した事情を考慮してなされたもので、雨水の浸入がなく、構造を簡素化でき、メンテナンス時、安全で点検蓋が紛失するおそれのない熱源ユニットを提供することを目的とする。
【課題を解決するための手段】
【０００６】
上述した目的を達成するため、本発明に係る熱源ユニットは、筐体内に冷凍サイクルの構成要素が収容された熱源ユニットにおいて、通気孔を有する前記筐体の着脱自在な一側面に対向して設けられ、電気部品が収容された電気部品箱と、この電気部品箱の前面をなし、前記一側面に対向して設けられたカバーと、このカバーに設けられ、外周をヘミング加工により外側に折り返して形成された窓側係合部が全周囲に設けられた矩形の点検窓と、前記窓側係合部に摺動自在に係合し、同様のヘミング加工により形成された蓋側係合部が上下あるいは左右の方向に延びて周辺に設けられた矩形の点検蓋とを有することを特徴とする。
【発明の効果】
【０００７】
本発明に係る熱源ユニットによれば、雨水の浸入がなく、構造を簡素化でき、メンテナンス時、安全で点検蓋が紛失するおそれのない熱源ユニットを提供することができる。
【図面の簡単な説明】
【０００８】
【図１】本発明に係る熱源ユニットの一実施形態の筐体一側面を切欠して示す斜視図。
【図２】本発明に係る熱源ユニットの一実施形態に用いる点検蓋近傍の断面図。
【図３】本発明に係る熱源ユニットの一実施形態に用いる点検蓋を取り付ける状態の説明図。
【図４】本発明に係る熱源ユニットの一実施形態に用いる点検蓋を取り付けた状態の説明図。
【図５】本発明に係る熱源ユニットの一実施形態に用いる点検蓋の開放状態の説明図。
【発明を実施するための形態】
【０００９】
本発明に係る熱源ユニットに一実施形態について添付図面を参照して説明する。  
図１及び図２に示すように、本実施形態の熱源ユニット１は筐体２を備える。
【００１０】
この筐体２は縦長の長方形状をなし、上部に空気吹出口３、底部に脚部４が設けられた底板（図示せず）が設けられ、４側面には通気孔５ａ、６ａが設けられ側面５、６が設けられる。
【００１１】
そして、筐体２内には、いずれも図示しない、冷媒を圧縮し、底板に載置される圧縮機と、冷暖房運転の冷媒の流れを切替える四方弁と、外気と熱交換する熱源側熱交換器、室外側膨張弁、制御用電気部品が収容される電気部品箱７などが収容されている。
【００１２】
側面５は、通気孔５ａが設けられた上側面５１と、平板状で切欠して示す下側面５２からなり、この下側面５２は筐体２に着脱自在に取り付けられている。なお、側面は下側面のみが着脱自在に取り付けられても、上側面と下側面が一体に着脱自在に取り付けるものであってもよい。
【００１３】
電気部品箱７は、側面５に対向して設けられている。  
そして、電気部品箱７の前面には、下側面５２に対向してカバー７ａが設けられている。
【００１４】
このカバー７ａには、矩形の点検窓７ｂが設けられており、図２に示すように、この点検窓７ｂの周囲には、外周をヘミング加工により略Ｕ字状に形成された窓側係合部７ｃが設けられている。この係合部７ｃは、ヘミング加工により外側に折り返された部分とカバー７ａとが所定の間隙を設けるように加工される。
【００１５】
図３に示すように、また、点検窓７ｂには、この点検窓７ｂをメンテナンス時開放し、通常閉じる点検蓋８が取り付けられている。  
この点検蓋８は矩形状をなし、窓側係合部７ｃに摺動自在に係合し、点検蓋８の周辺には、窓側係合部７ｃと同様のヘミング加工により略Ｕ字状に形成され、上下あるいは左右の方向、例えば左右方向に延びる蓋側係合部８ａ（図２）が設けられている。
【００１６】
また、点検蓋８の挿入方向の一側端部には、外方に折り返された開閉用の折り返し部８ｂがヘミング加工により形成され、この折り返し部８ｂ付近には、点検蓋８の開放時、この点検蓋８の他側に位置する窓側係合部７ｃに当接する突条の係止部８ｃが、内側に突出して設けられている。
【００１７】
必要に応じて、点検蓋８には固定用のねじ貫通孔８ｄ、点検窓７ｂの周囲にはねじ孔７ｄが設けられ、点検蓋８は点検窓７ｂにねじで固定される。
【００１８】
点検窓７ｂ及び点検蓋８は、上記のような構造を有するので、点検蓋８の点検窓７ｂへの取り付けは、図２及び図３に示すように、折り返し部８ｂを先にして、蓋側係合部８ａを窓側係合部７ｃに係合し、この係合状態で折り返し部８ｂに指を掛け、点検蓋８を摺動させ、係止部８ｃが窓側係合部７ｃに当接するまで前進させ、ねじで固定する。
【００２０】
通常、熱源ユニット１は屋外に設置されるため、暴風雨のときなどは筐体２内へ雨水が浸入することがある。万が一、侵入した雨水が電気部品箱７の表面に達したとしても点検窓７ｂと点検蓋８は、略Ｕ字状に形成された窓側係合部７ｃと蓋側係合部８ａの係合により、水密的にシールされるので、シール材を設けることなく、雨水が電気部品箱７まで浸入するのを防止できる。
【００２１】
図５に示すように、メンテナンスサービス時、ねじを外し、折り返し部８ｂに指を掛け、係止部８ｃが窓側係合部７ｃ（図３）に当接するまで後退させ、点検窓７ｂを開放し、電気部品の点検を行う。このとき、点検蓋８がカバー７ａから脱落することがない。
【００２２】
また、シール材を設ける必要がないので、構造が簡素化される。
【００２３】
さらに、点検窓７ｂと点検蓋８の端面が、略Ｕ字状に形成されているので、サービスマンが指を怪我することがなく、安全であり、また、点検蓋８がカバー７ａから脱落することがないので、点検蓋８を紛失することがない。
【００２４】
本実施形態の熱源ユニットによれば、雨水の浸入がなく、構造を簡素化でき、メンテナンス時、安全で点検蓋が紛失するおそれのない熱源ユニットが実現される。
【符号の説明】
【００２５】
１…熱源ユニット、２…筐体、３…空気吹出口、４…脚部、５…側面、５ａ、６ａ…通気孔、５１…上側面、５２…下側面、６…側面、６ｂ…通気孔、７…電気部品箱、７ａ…カバー、７ｂ…点検窓、７ｃ…窓側係合部、７ｄ…ねじ孔、８…点検蓋、８ａ…蓋側係合部、８ｂ…折り返し部、８ｃ…係止部、８ｄ…ねじ貫通孔。
【図１】
0005513156.tif 000002
【図２】
0005513156.tif 000003
【図３】
0005513156.tif 000004
【図４】
0005513156.tif 000005
【図５】
0005513156.tif 000006